(57)【要約】【課題】外部記憶媒体を携帯無線通信装置に用いる場合に、送受信部との間の電気的若しくは熱的干渉、または操作入力部におけるキー操作から受ける機械的ストレスの影響を軽減する。【解決手段】送受信部１２と外部記憶媒体用のスロット１９、または操作入力部１６と外部記憶媒体用のスロット１９を、上下筐体１および２にそれぞれ分けて配置することにより、相互の電気的、熱的または機械的悪影響を軽減する。【選択図】　図１
2004088541.tif 000002
【特許請求の範囲】
【請求項１】
無線送受信手段を有する第１の筐体と、
外部記憶媒体を格納し前記外部記憶媒体との間でデータを読み書きする手段を有する第２の筐体とを備え、
前記第１の筐体および前記第２の筐体が係合して折り畳み可能に構成されたことを特徴とする携帯無線通信装置。
【請求項２】
操作入力手段を有する第１の筐体と、
外部記憶媒体を格納し前記外部記憶媒体との間でデータを読み書きする手段を有する第２の筐体とを備え、
前記第１の筐体および前記第２の筐体が係合して折り畳み可能に構成されたことを特徴とする携帯無線通信装置。
【請求項３】
無線送受信手段および操作入力手段を有する第１の筐体と、
外部記憶媒体を格納し前記外部記憶媒体との間でデータを読み書きする手段を有する第２の筐体とを備え、
前記第１の筐体および前記第２の筐体が係合して折り畳み可能に構成されたことを特徴とする携帯無線通信装置。
【請求項４】
前記第２の筐体は、外部記憶媒体としてメモリカードを対象とし、前記メモリカードを挿入し前記メモリカードとの間でデータを読み書きする手段を有することを特徴とする請求項１乃至請求項３のいずれか１項記載の携帯無線通信装置。
【請求項５】
前記第２の筐体は、外部記憶媒体として携帯型ハードディスク装置を対象とし、前記携帯型ハードディスク装置を挿入し前記携帯型ハードディスク装置との間でデータを読み書きする手段を有することを特徴とする請求項１乃至請求項３のいずれか１項記載の携帯無線通信装置。
【請求項６】
前記第２の筐体は、外部記憶媒体として携帯型光ディスク装置を対象とし、前記携帯型光ディスク装置を挿入し前記携帯型光ディスク装置との間でデータを読み書きする手段を有することを特徴とする請求項１乃至請求項３のいずれか１項記載の携帯無線通信装置。
【発明の詳細な説明】
【０００１】
【発明の属する技術分野】
本発明は、上下２筐体が係合して折り畳み可能に構成された携帯無線通信装置に係り、特に、外部記憶媒体を格納してデータの読み書きを行うことのできる上下折り畳み形の携帯無線通信装置に関する。
【０００２】
【従来の技術】
携帯無線通信装置はその普及と共に多機能化し、多くの操作キーや複数の表示画面を備えることが求められるようになってきた。これらの要件と、小型かつ軽量であるという携帯機器本来の要件とを同時に満たすため、構成部品を上下２筐体に分けて配置し、これら２筐体をヒンジ部を介して折り畳み可能に連結する形態（以下の説明では、上下折り畳み形という）が用いられている。なお、以下の説明における上下筐体の区別は、受話器を有する側を上筐体、送話器を有する側を下筐体とする通常の方法によるものとする。
【０００３】
一方、携帯無線通信装置の多機能化の一環として、フラッシュメモリ等の外部記憶媒体の読み書き機能内蔵が挙げられる。携帯無線通信装置の用途は、電話およびテキスト形式のメールのやり取りにとどまらず、音楽、静止画、動画等の多彩かつ大容量のコンテンツの取り扱いへと拡大しつつあることから、外部記憶媒体の読み書き機能が必然的に求められるようになってきた。
【０００４】
前述の上下折り畳み形の携帯無線通信装置の設計においては、これらの機能を実現するそれぞれの構成部品を上下いずれの筐体にどのように配置するかについて、利便性、操作性、技術的合理性、経済性等の見地から総合的に検討し、最適化を図る必要がある。特許文献１に開示された発明はその一例で、画像情報の取得手段である撮像カメラを、上下２筐体を連結するヒンジ部に着脱可能に収容し、送受信機能を有する通信部および操作入力部を有する本体部（下筐体）の側面に、拡張メモリ（外部記憶媒体）の格納手段（スロット）を設けるというものである。
【０００５】
（特許文献１）
特開２００１−２９８５１６号公報（第２ページ、図１）
【０００６】
【発明が解決しようとする課題】
上記の従来の技術により、外部記憶媒体（例えばＳＤメモリカード（商標）をはじめとするフラッシュメモリを用いたメモリカード）用のスロットを、送受信部と同一の筐体に配置する場合は、次に挙げるような問題を生じる可能性がある。
【０００７】
（１）送信部の電波出力による干渉の結果、外部記憶媒体の読み書き動作において雑音を生じる。
【０００８】
（２）外部記憶媒体の読み書き動作に伴う消費電流の変動等による干渉の結果、送受信部の受信動作において雑音を生じる。
【０００９】
（３）送信部の発熱に起因して外部記憶媒体用スロット部分の温度が上昇することにより、読み書き動作の信頼性低下または外部記憶媒体の品質劣化を招く。
【００１０】
したがって、上記の従来の技術に基づく場合には、これらの悪影響を許容可能範囲にとどめるための干渉低減、しゃへい、発熱低減または放熱の効率向上等に十分注意を払って設計し、その解決策としてのしゃへい手段や放熱手段を携帯無線通信装置に具備する必要性が高い。その結果、開発コストだけでなく、携帯無線通信装置のサイズや重量の増大を招くことになりやすい。
【００１１】
また、上記の従来の技術により、外部記憶媒体用のスロットを、操作入力部と同一の筐体に配置する場合は、スロットの空隙を有しながらしかもキー操作による機械的ストレスの反復に耐えるため、当該筐体にスロットの空隙がない場合よりも大きい剛性を持たせる必要がある。この点もまた、開発コスト、サイズや重量の増大を招く可能性がある。
【００１２】
したがって、本発明は、送受信部および外部記憶媒体用スロット間の電気的・熱的干渉を十分低く抑えると共に、サイズ、重量または所要の筐体の剛性を増大させることなく容易に設計可能な、上下折り畳み形の携帯無線通信装置を提供することを目的とする。
【００１３】
【課題を解決するための手段】
上記目的を達成するために、本発明の携帯無線通信装置は、無線送受信手段を有する第１の筐体と、外部記憶媒体を格納し前記外部記憶媒体との間でデータを読み書きする手段を有する第２の筐体とを備え、前記第１の筐体および前記第２の筐体が係合して折り畳み可能に構成されたことを特徴とする。
【００１４】
本発明によれば、上下折り畳み形の携帯無線通信装置における外部記憶媒体の利用に当り、小型軽量で利便性に優れるという装置本来の特徴を損なうことなく、送受信機能や操作入力機能等の通常の機能との間の相互の影響を十分低く抑えることができる。
【００１５】
【発明の実施の形態】
以下に、本発明による携帯無線通信装置の実施の形態を、図１および図２を用いて説明する。図１は、本発明の実施の形態に係る携帯無線通信装置の構造および構成部品の配置を、上下筐体を開いた状態において示す図である。図１（ａ）は正面図、（ｂ）は右側面から部品配置を透視して示した図、（ｃ）は背面図である。
【００１６】
これらの図において、１は上筐体、２は下筐体、３はヒンジ部、１１はアンテナ、１２は送受信部、１３は回路基板、１４は送話器、１５は受話器、１６は操作入力部、１７は主表示部、１８は副表示部、１９はメモリカードスロット、２０はカメラ、２１はカメラのレンズ、２２はバッテリーである。
【００１７】
また、図２は、本発明の実施の形態に係る携帯無線通信装置のブロック図である。図中の符号の数字が図１と共通であるものは、それぞれ既に説明済みであるのでその説明を省略し、その他のものについて次に説明する。１２ａは送信部、１２ｂは受信部、３１は音声−電気変換部およびＡＤ変換部、３２はボコーダ部、３３は変復調部、３４は送受切換え部、３５はＤＡ変換部およびドライバ、３６は制御部、３７は内部メモリ、３８はメモリカード、３９は主表示部ドライバ、４０は副表示部ドライバ、４１は電源部である。なお、送信部１２ａと受信部１２ｂとで、送受信部１２を構成する。
【００１８】
以上の本発明の実施の形態に係る構成要素のうち、メモリカードスロット１９およびメモリカード３８以外のものは、携帯無線装置の構成に一般的に含まれるものであるので、それらの動作または機能についての説明は省略する。なお、副表示部１８および副表示部ドライバ４０、またはカメラ２０およびカメラのレンズ２１は、構成に含まなくてもよい。
【００１９】
メモリカード３８は外部記憶媒体として、メモリカードスロット１９に格納され、制御部３６による書き込みまたは読み出しの制御を受ける。メモリカードとしては例えばＳＤメモリカード（商標）が、また読み書きの対象は例えば音楽や画像データ等の大容量コンテンツが考えられるが、むろんこれらに限定されるものではなく、他種のメモリカードや携帯型のハードディスク装置、あるいは携帯型の光ディスク装置を用いる形態も考えられる。
【００２０】
次に、図１および図２を参照して、本発明の実施の形態における送受信部１２、操作入力部１６およびメモリカードスロット１９の位置関係とその効果について説明する。
【００２１】
初めに図１において、送受信部１２とメモリカードスロット１９の位置関係に着目すると、送信部１２は下筐体２に設けた回路基板１３上に実装され、一方メモリカードスロット１９は上筐体１に設けられて、メモリカード３８の挿抜を側面方向から行えるように構成されている。このように、送受信部１２とメモリカードスロット１９とを上下筐体１および２に分けて配置することにより、送信部１２ａの電波出力による干渉に起因してメモリカード３８の読み書き動作において雑音を生じたり、逆にメモリカード３８の読み書き動作に伴う消費電流の変動等に起因して受信部１２ｂの受信動作において雑音を生じたりする危険が軽減される。
【００２２】
また、送信部１２ａの発熱に起因してメモリカードスロット１９およびその周囲の温度が上昇することにより、メモリカード３８の読み書き動作の信頼性低下またはメモリカード３８自体の品質劣化を招くという危険も軽減される。
【００２３】
次に図１において、操作入力部１６とメモリカードスロット１９の位置関係に着目すると、メモリカードスロット１９が上筐体１に設けられているのに対して、操作入力部１６は下筐体２に設けられている。このように、操作入力部１６とメモリカードスロット１９とを上下筐体１および２に分けて配置することにより、下筐体２にはスロットの空隙が存在しないので、操作入力部１６におけるキー操作による機械的ストレスの反復に耐えるだけの剛性を、下筐体２に比較的容易に持たせることができる。一方、上筐体１には、主表示部１７および副表示部１８が配置されることから、メモリカードスロット１９の実装の有無によらず一定の剛性を持たせる必要があるので、この点からもメモリカードスロット１９を上筐体１に配置することが望ましい。
【００２４】
なお、以上の説明においては、説明の便宜上その他の構成要素も上筐体１または下筐体２のいずれか一方に配置している。しかし、上述したところから明らかなように、これらについては、送受信部１２とメモリカードスロット１９または操作入力部１６とメモリカードスロット１９が上下筐体１および２に分けて配置される限り、上筐体１または下筐体２のいずれに配置されるものであってもよい。また、回路基板１３には送受信部１２および変復調部３３を実装するものとしているが、同様の理由で、さらに他の構成要素を実装するものとしてもよい。
【００２５】
本発明の実施の形態によれば、送受信部１２とメモリカードスロット１９または操作入力部１６とメモリカードスロット１９が同一筐体に配置された場合に生じ得る悪影響を、予め抑えることができ、これらを同一筐体に配置したとしたならば必要性が考えられた電気的・熱的しゃへいまたは操作入力部を有する筐体の高剛性設計を考慮しないでも済むこととなる。
【００２６】
【発明の効果】
本発明によれば、携帯無線通信装置に外部記憶媒体を利用する場合に生じ得る、電気的、熱的または機械的悪影響を未然に防止することができる。
【図面の簡単な説明】
【図１】本発明の実施の形態に係る携帯無線通信装置の外観図。
【図２】本発明の実施の形態に係る携帯無線通信装置のブロック図
【符号の説明】
１　上筐体
２　下筐体
３　ヒンジ部
１１　アンテナ
１２　送受信部
１２ａ　送信部
１２ｂ　受信部
１３　回路基板
１４　送話器
１５　受話器
１６　操作入力部
１７　主表示部
１８　副表示部
１９　メモリカードスロット
２０　カメラ
２１　カメラのレンズ
２２　バッテリー
３１　音声−電気変換部およびＡＤ変換部
３２　ボコーダ部
３３　変復調部
３４　送受切換え部
３５　ＤＡ変換部およびドライバ
３６　制御部
３７　内部メモリ
３８　メモリカード
３９　主表示部ドライバ
４０　副表示部ドライバ
４１　電源部
【図１】
2004088541.tif 000003
【図２】
2004088541.tif 000004